(57)【要約】【課題】  指先のあかぎれ、ひびわれ等の治療に好適に使用できる指先あかぎれ用絆創膏を提供する。【解決手段】  粘着剤層を有し伸縮柔軟性のある材料で基材（６）を作る。この基材（６）で指先に貼着される中央部（７）と、この中央部（７）の両側に延び指の側面に貼着される固定部（８）が形成される。この中央部（７）は、指先に当てたとき指の爪先の指先端に貼着される幅の狭い指先端支承部（１１）と、指の側面に沿って貼着され爪の両側面を引き寄せかつ覆うことができるよう上記指先端支承部（１１）より幅広に形成された引寄部（１２）で構成されている。上記構成により、あかぎれ、ひびわれ等の傷口を密着させ、早期に治療することができる。【選択図】    図２
2005095477.tif 000002
【特許請求の範囲】
【請求項１】
粘着剤層を有し伸縮柔軟性のある基材により指先に貼着される中央部と該中央部の両側に延び指の側面に貼着される固定部を形成し、上記中央部に、指先に当てたとき指の爪先の指先端に貼着される指先端支承部と、指の側面に沿って貼着され爪の両側面を引き寄せかつ覆うことができるよう上記指先端支承部より幅広に形成された引寄部を設け、上記中央部の長さ（ａ）は１５〜３５mmであり、指先端支承部の幅（ｂ）は３〜１５mmであり、中央部の両端幅（ｃ）は８〜２３mmであり、上記（ｃ−ｂ）／ａの値が０．２〜０．６であることを特徴とする指先あかぎれ用絆創膏。
【請求項２】
上記中央部の長さは２０〜３０mmであり、指先端支承部の幅は５〜１２mmである請求項１に記載の指先あかぎれ用絆創膏。
【請求項３】
上記中央部の上辺と下辺は略直線状で上下対称に形成されている請求項１または２に記載の指先あかぎれ用絆創膏。
【請求項４】
上記中央部の上辺は略直線状に形成され下辺は略円弧状にわん曲している請求項１または２に記載の指先あかぎれ用絆創膏。
【請求項５】
上記下辺のわん曲半径は、中央部の長さの３分の２倍以上３倍以下である請求項４に記載の指先あかぎれ用絆創膏。
【請求項６】
上記指先端支承部の上辺には切欠溝が設けられている請求項１に記載の指先あかぎれ用絆創膏。
【請求項７】
上記切欠溝は直径１〜３mmの略円形である請求項６に記載の指先あかぎれ用絆創膏。
【請求項８】
上記基材はポリウレタン不織布等の伸縮性不織布である請求項１ないし７のいずれかに記載の指先あかぎれ用絆創膏。
【発明の詳細な説明】
【技術分野】
【０００１】
本発明は、手足の指先を保護し、指先にできたあかぎれ、ひびわれの治療に好適に使用することができる指先あかぎれ用絆創膏に関する。
【背景技術】
【０００２】
通常、図１に示すように、指先に生じるあかぎれ、ひびわれ等の患部（１）は、爪（２）の両側やその周辺等に発生しやすく、その治療には救急絆創膏や巻絆創膏が使われている。パッドが付いている救急絆創膏は、指の腹側（３）から爪側（４）に巻き付けることにより患部を保護できるが、ひびわれ等の傷口を閉じておくことができないので早期に治癒させることができず、水仕事の際にパッドが濡れ、患部がふやけるといった欠点があった。また、巻絆創膏は、一般的に伸縮性に乏しく、指先端（５）まで確実にフィットする形状に巻き付けにくいから、患部をうまくカバーして傷口を閉じることがむずかしい。
【０００３】
伸縮性の基材を用いて指先を保護し、あかぎれを治療するための指先傷絆キャップも提案されている（例えば特許文献１参照）。しかし、このキャップは略正方形の基材の中央に設けた消毒ガーゼに指先を当て切り込み線により切離した小片を指先に貼った後、全体を単に巻き付ける構成であるから、ひびわれ等の患部を確実に閉じておくことができず、また、消毒ガーゼが水作業で濡れるおそれもあり、上述した救急絆創膏と同じような問題点がある。その上、最終的にほぼ正方形状に形成された絆創膏で指先全体を覆うので貼付面積が大きく、違和感があり、使用しにくい。
【０００４】
パッドを用いない殺菌消毒剤入り指先用ばんそうこうも知られている（例えば特許文献２参照）。この絆創膏は縦長の略蝶ネクタイ形で両端部の幅が広く、中央部分の幅が狭く形成されている。そして、指先が中央部分に位置するように指に沿って当て、該中央部分で折り返して両端部をそれぞれ指の爪側（４）、腹側（３）に貼着して使用するため、あかぎれ、ひびわれ等の患部の好発生部位である指先爪下部分やその周辺部分への密着度が不充分であり、確実にひびわれを閉じることがむずかしい。以上のように、従来知られている絆創膏では、傷口を閉じて固定する作用が不充分であり、あかぎれ、ひびわれの主訴である痛みを軽減することができなかった。
【特許文献１】特開平９−１２２１７３号公報
【特許文献２】登録実用新案第３００８０３６号公報
【発明の開示】
【発明が解決しようとする課題】
【０００５】
本発明の解決課題は、指先に発生したあかぎれ、ひびわれ等の患部の傷口を閉じておくことができ、指先にフィットし、閉鎖性に優れ、貼付面積が少なく、不必要に皮膚を覆うことがなく、大きな違和感を生じないようにしたあかぎれ、ひびわれの治療に好適に使用できる指先あかぎれ用絆創膏を提供することである。
【課題を解決するための手段】
【０００６】
本発明は、指先のあかぎれ、ひびわれの痛みは傷口を閉じて固定することにより緩和され、早い治癒が得られるという知見に基づき、パッドを用いずに傷口を保護し、かつ直接的に閉じることができ、かつ創縁を寄せて常に密着固定できる構成を具備している。すなわち、粘着剤層を有し伸縮柔軟性のある基材により指先に貼着される中央部と該中央部の両側に延び指の側面に貼着される固定部を形成し、上記中央部に、指先に当てたとき指の爪先の指先端に貼着される指先端支承部と、指の側面に沿って貼着され爪の両側面を引き寄せかつ覆うことができるよう上記指先端支承部より幅広に形成された引寄部を設けたことを特徴とする指先あかぎれ用絆創膏が提供され、上記課題が解決される。
【発明の効果】
【０００７】
本発明の指先あかぎれ用絆創膏は、中央部を指先に当てがい、指先端支承部を爪先の指先端に貼着し、該指先端支承部の両側に存する引寄部を引っ張りながら指の両側に沿って貼着すると、爪の両側面が引き寄せられ、該爪の周囲に発生しているあかぎれ、ひびわれの傷口は確実に密閉される。そして、基材の伸縮柔軟性により引寄部はしわを生じることがなく、傷口の密閉状態を維持でき、常に傷口を閉鎖して痛みを軽減でき、かつ傷口を直接他の物に接触することから保護できるので早期の治療を達成することができる。また、指先に貼着した状態で、爪の上面や指先の腹部の固定部を貼着してない部分は絆創膏で覆われず、貼付面積を少くすることができるので、開放感があり違和感なくまた紙等を扱う手作業で不自由を感じることなく使用することができる。なお、本発明の絆創膏は上記のように指先に生じたあかぎれの治療を主な目的としているが、同様な使用方法であかぎれの予防も可能である。
【発明を実施するための最良の形態】
【０００８】
本発明の絆創膏は、粘着剤層を有する伸縮柔軟性のある基材（６）により構成される。この基材（６）を構成する支持体の素材としては、軟質ポリ塩化ビニルフィルム、エチレン−酢酸ビニル共重合体フィルム、ポリウレタンフィルム等の高分子フィルム、布、ナイロン不織布、ポリエステル不織布、ポリウレタン不織布等の不織布を使用することができ、伸縮性、通気性、透湿性及び柔軟性に優れている点でポリウレタン不織布等の伸縮性不織布が特に好ましい。
【０００９】
粘着剤としては、例えば、アクリル系粘着剤、ゴム系粘着剤、シリコーン系粘着剤等の一般的な皮膚貼付用の粘着剤を用いることができる。また、このような粘着剤を上記支持体上に塗布する方法は、特に限定されるものではないが、直接支持体上にナイフコータ、リバースコータ、コンマコータ等により塗布し、溶媒を乾燥してから剥離紙（図示略）を重ね合わせるか、剥離紙（剥離シート）上に同様に塗布して乾燥後、支持体を貼り合わせるのが一般的である。なお、粘着剤の乾燥後の塗布厚は、通常約１０〜２００μｍ、好ましくは約２０〜１００μｍであり、絆創膏に通気性を与えるために、粘着剤付支持体に微細な穿孔を行ってもよい。上記剥離紙（剥離シート）としては、シリコーン離型処理した上質紙、グラシン紙等の紙基材やポリエステルフィルム等を用いることができる。
【００１０】
上記のようにして得られた基材（粘着シート原反）を打抜加工して、図２に示すように中央がくびれ、左右対称に広がった略蝶ネクタイ形状を有する、指先に貼着される中央部（７）と、該中央部（７）の両側に延び指の側面に貼着される固定部（８）を形成する。該固定部（８）は、中央部（７）の上辺（９）、下辺(10)をそのまま延長した如き形状に作られているので、全体として横長の略蝶ネクタイ形をしているが、上記中央部（７）を指先に確実に固定できる形状であれば、どのような形状でもよい。
【００１１】
上記中央部（７）には、指先に当てたとき指の爪先の指先端（５）に貼着される幅の狭い指先端支承部（１１）と、指の側面に貼着され爪（２）の両側面を引き寄せかつ覆うことができるよう上記指先端支承部（１１）より幅広に形成された引寄部（１２）を含んでいる。
【００１２】
上記中央部（７）は、上記指先端支承部（１１）が指先端（５）から爪（２）の下側に回り込み、上記引寄部（１２）が指の両側面に沿って貼着され、ひびわれ等の傷口（１）を引き寄せて覆うことができる大きさ、形状に作られるが、あかぎれ等を発生した指の種類や大きさ、個人差により適宜の長さ、幅に形成される。すなわち、上記指先端支承部（１１）の幅が狭すぎると指先端の支承が不確実になったり、指にくい込んで痛いし、広すぎると爪に当ったり、指の腹側まで及んで貼り付けたときしわを生じて密着性を損ないやすい。また、中央部の両端幅が広すぎると、引寄部で指の両側面を引き寄せるときに腹側にしわを生じて密着が不充分になったり、爪上面を覆う貼付面積が大きくなり、違和感を感じやすくなる。実験の結果によれば、中央部（７）の長さ（ａ）は約１５〜３５mm、好ましくは約２０〜３０mm、指先端支承部（１１）の幅（ｂ）は、約３〜１５mm、好ましくは約５〜１２mm、中央部（７）の両端幅（ｃ）は約８〜２３mm程度が好ましく、上記（ｃ−ｂ）／ａの値が約０．２〜０．６の範囲内であると密着性が良いことが確められた。
【００１３】
また、上記中央部（７）の上辺（９）、下辺（１０）は略直線状で上下対称に形成したり、下辺(10)を略円弧状にわん曲させることもできる。下辺（１０）をわん曲させると、指への追従性が良好で指先にぴったりと密着させることができるが、あまり円弧の半径が小さいと腹側へ引寄部が貼着する面積が広くなってしわを発生するおそれがあるので、上記のようにひびわれ等の傷口を閉じるためには、中央部（７）の長さ（ａ）の約３分の２以上で約３倍以下の円弧半径であることが好ましい。
【００１４】
爪が伸びている場合には、指先端支承部（１１）を確実に指先端（５）に貼着できるよう該指先端支承部（１１）の上辺に切欠溝（１３）を形成することができる（図５参照）。該切欠溝(13)は適宜の形状に形成してもよいが、直径約１〜３mm程度の略円形に形成すると追従性が良い。
【実施例１】
【００１５】
図３は、本発明の一実施例の説明図であって、極細ポリウレタン不織布にアクリル系の粘着剤層を設けた基材（６）を用いて、中央部（７）と固定部（８）を含めた全体の長さ（ｄ）を６０mm、高さ（ｅ）を２４mmに形成し、中央部（７）の長さ（ａ）を２８mm、両端幅（ｃ）を１４mmとした。また、指先端支承部（１１）の幅（ｂ）を６mmとし、上辺（９）、下辺（１０）を直線状に設けた。
【実施例２】
【００１６】
図４は、他の実施例を示し、中央部（７）と固定部（８）を含めた全体の長さ（ｄ）を６０mm、高さ（ｅ）を２４mm、中央部（７）の長さ（ａ）を２８mm、両端幅（ｃ）を１３mmとした。指先端支承部（１１）の幅（ｂ）は６mmであり、上辺（９）は直線状であるが、下辺（１０）は半径３７mmで円弧状にわん曲している。なお、固定部（８）の下辺（１０ａ）は、半径３４mmの円弧状にわん曲している。
【実施例３】
【００１７】
図５は、他の実施例を示し、基本的には図４に示す実施例と同様であるが、指先端支承部（１１）の上辺（９）に直径２mmの円形の切欠溝（１３）を形成した。
【実施例４】
【００１８】
図６は、さらに他の実施例を示し、親指等の大きな指に適応するよう中央部（７）と固定部（８）を含めた全体の長さ（ｄ）を６０mm、高さ（ｅ）を２５mmとし、中央部（７）の長さ（ａ）を２８mm、両端幅（ｃ）を１８mm、指先端支承部（１１）の幅（ｂ）を１１mmとし、上辺（９）の中央に円形の切欠溝(13)を設け、下辺（１０）を半径３７mmの円弧状にわん曲させた。
【００１９】
図７は、比較例１を示し、中央部（７）の長さ（ａ）を４０mm、両端幅（ｃ）を２２mmとし、指先端支承部（１１）の幅（ｂ）を１８mmとし、中央部のくびれを小さく形成した。
【００２０】
図８は、比較例２を示し、中央部（７）の長さ（ａ）は３０mm、両端幅（ｃ）は２７mmとし、指先端支承部（１１）の幅（ｂ）は６mmとし、くびれを大きく形成した。
【００２１】
上記実施例１に示す絆創膏を爪側から腹側へ縦長にして用いた例を比較例３として、図３〜図８に示すサンプルを作製し、Ａ〜Ｆの６名で貼付試験を実施し、あかぎれ、ひびわれの好発生部位である人指し指先爪下部分に貼付し、密着性を◎○△×の４段階（評点４〜１点）で評価した。その結果、図９に示すように本発明の絆創膏は密着性が良いことが確かめられた。
【図面の簡単な説明】
【００２２】
【図１】指先の説明図。
【図２】本発明の絆創膏の一実施例及びその貼り付け方法を示す説明図。
【図３】本発明の一実施例を示す説明図。
【図４】他の実施例を示す説明図。
【図５】他の実施例を示す説明図。
【図６】他の実施例を示す説明図。
【図７】比較例の説明図。
【図８】他の比較例の説明図。
【図９】貼付試験結果を示す表。
【符号の説明】
【００２３】
６    基材
７    中央部
８    固定部
９    上辺
10    下辺
11    指先端支承部
12    引寄部
13    切欠溝
ａ    中央部の長さ
ｂ    指先端支承部の幅
ｃ    中央部の両端幅
ｄ    全体の長さ
ｅ    全体の幅
【図１】
2005095477.tif 000003
【図２】
2005095477.tif 000004
【図３】
2005095477.tif 000005
【図４】
2005095477.tif 000006
【図５】
2005095477.tif 000007
【図６】
2005095477.tif 000008
【図７】
2005095477.tif 000009
【図８】
2005095477.tif 000010
【図９】
2005095477.tif 000011